(57)【要約】【課題】プラズマディスプレイパネルの駆動方法を提供する。【解決手段】維持電極とアドレス電極とが交差される領域に放電セルが形成されるプラズマディスプレイパネルに対して、外部から入力される画像信号を処理してフレーム単位で区分し、フレームがそれぞれの階調加重値を有する複数のサブフィールドを備え、サブフィールド内に既定の設定傾斜を有するパルス波形の電圧を印加する区間が存在して駆動するものであって、（ａ）画像信号の方式を判断するステップと、（ｂ）画像信号の方式がＰＡＬ方式である場合に、パネルの温度によってパルス波形の傾斜を調節するステップと、を含むプラズマディスプレイパネルの駆動方法である。【選択図】図９
2006301622.tif 000002
【特許請求の範囲】
【請求項１】
維持電極とアドレス電極とが交差される領域に放電セルが形成されるプラズマディスプレイパネルに対して、
外部から入力される画像信号を処理してフレーム単位で区分し、前記フレームがそれぞれの階調加重値を有する複数のサブフィールドを備え、
前記サブフィールド内に既定の設定傾斜を有するパルス波形の電圧を印加する区間が存在して駆動するものであって、
（ａ）前記画像信号の方式を判断するステップと、
（ｂ）前記画像信号の方式がＰＡＬ方式である場合に、前記パネルの温度によって前記パルス波形の傾斜を調節するステップと、
を含むことを特徴とするプラズマディスプレイパネルの駆動方法。
【請求項２】
前記（ｂ）ステップは、
（ｂ１）前記パネル温度を検出するステップと、
（ｂ２）前記パネル温度によって前記パルス波形の傾斜を調節するステップと、
を含むことを特徴とする請求項１に記載のプラズマディスプレイパネルの駆動方法。
【請求項３】
前記パルス波形の傾度は、前記パネル温度に反比例するように調節されることを特徴とする請求項１に記載のプラズマディスプレイパネルの駆動方法。
【請求項４】
前記パルス波形は、第１レベルから第２レベルまで持続的に上昇する区間を有することを特徴とする請求項１に記載のプラズマディスプレイパネルの駆動方法。
【請求項５】
前記パネル温度が上昇すれば、前記上昇パルス波形の傾度を減少させ、前記パネル温度が下降すれば、前記上昇パルス波形の傾度を増加させることを特徴とする請求項４に記載のプラズマディスプレイパネルの駆動方法。
【請求項６】
前記パルス波形の電圧は、第３レベルから第４レベルまで持続的に下降する区間を有することを特徴とする請求項１に記載のプラズマディスプレイパネルの駆動方法。
【請求項７】
前記パネル温度が上昇すれば、前記下降波形の傾度を減少させ、前記パネル温度が下降すれば、前記下降波形の傾度を増加させることを特徴とする請求項６に記載のプラズマディスプレイパネルの駆動方法。
【請求項８】
前記パルス波形は、第１レベルから第２レベルまで持続的に上昇する区間と、第３レベルから第４レベルまで持続的に下降する区間とを有することを特徴とする請求項１に記載のプラズマディスプレイパネルの駆動方法。
【請求項９】
前記パネル温度が上昇すれば、前記上昇波形及び前記下降波形のうち少なくとも一つの傾度を減少させ、
前記パネル温度が下降すれば、前記上昇波形及び前記下降波形のうち少なくとも一つの傾度を増加させることを特徴とする請求項８に記載のプラズマディスプレイパネルの駆動方法。
【請求項１０】
前記それぞれのサブフィールドは、前記全体放電セルを初期化するリセット周期、前記全体放電セル中で発光して表示しようとする放電セルを選択するアドレス周期、及び前記選択された放電セルで維持放電を起こす維持放電周期を含むことを特徴とする請求項８に記載のプラズマディスプレイパネルの駆動方法。
【請求項１１】
前記パルスは、前記リセット周期内のパルスであることを特徴とする請求項１０に記載のプラズマディスプレイパネルの駆動方法。
【請求項１２】
前記パルスは、ランプパルスであり、前記ランプパルス波形の傾度は、前記ランプパルス波形を生成するランプ生成回路の素子整数値を制御して調節されることを特徴とする請求項１に記載のプラズマディスプレイパネルの駆動方法。
【請求項１３】
維持電極とアドレス電極とが交差される領域に放電セルが形成されるプラズマディスプレイパネルに対して、外部から入力される画像信号を処理してフレーム単位で区分し、前記フレームがそれぞれの階調加重値を有する複数のサブフィールドを備え、前記サブフィールド内に既定の設定傾斜を有するパルス波形の電圧を印加する区間が存在して駆動するものであって、
前記フレームが、階調加重値の一定した傾度でもって順次に大きくなるサブフィールド構造を有する第１フレーム、及び２以上のサブフィールドグループを含んで形成され、それぞれのサブフィールドグループが前記階調加重値の一定した傾度でもって順次に大きくなる第２フレームのうち何れか一つであり、
（ａ）前記フレームの種類を判断するステップと、
（ｂ）前記フレームが第２フレームである場合に、前記パネルの温度によって前記パルス波形の傾斜を調節するステップと、
を含むことを特徴とするプラズマディスプレイパネルの駆動方法。
【請求項１４】
前記（ｂ）ステップは、
（ｂ１）前記パネル温度を検出するステップ、及び（ｂ２）前記パネル温度によって前記パルス波形の傾斜を調節するステップを含むことを特徴とする請求項１３に記載のプラズマディスプレイパネルの駆動方法。
【請求項１５】
前記パルス波形の傾度は、前記パネル温度に反比例するように調節されることを特徴とする請求項１３に記載のプラズマディスプレイパネルの駆動方法。
【請求項１６】
前記パルス波形は、第１レベルから第２レベルまで持続的に上昇する区間を有することを特徴とする請求項１３に記載のプラズマディスプレイパネルの駆動方法。
【請求項１７】
前記パネル温度が上昇すれば、前記上昇パルス波形の傾度を減少させ、前記パネル温度が下降すれば、前記上昇パルス波形の傾度を増加させることを特徴とする請求項１６に記載のプラズマディスプレイパネルの駆動方法。
【請求項１８】
前記パルス波形の電圧は、第３レベルから第４レベルまで持続的に下降する区間を有することを特徴とする請求項１３に記載のプラズマディスプレイパネルの駆動方法。
【請求項１９】
前記パネル温度が上昇すれば、前記下降波形の傾度を減少させ、前記パネル温度が下降すれば、前記下降波形の傾度を増加させることを特徴とする請求項１８に記載のプラズマディスプレイパネルの駆動方法。
【請求項２０】
前記パルス波形は、第１レベルから第２レベルまで持続的に上昇する区間と、第３レベルから第４レベルまで持続的に下降する区間とを有することを特徴とする請求項１３に記載のプラズマディスプレイパネルの駆動方法。
【請求項２１】
前記パネル温度が上昇すれば、前記上昇波形及び前記下降波形のうち少なくとも一つの傾度を減少させ、
前記パネル温度が下降すれば、前記上昇波形及び前記下降波形のうち少なくとも一つの傾度を増加させることを特徴とする請求項２０に記載のプラズマディスプレイパネルの駆動方法。
【請求項２２】
前記それぞれのサブフィールドが、前記全体放電セルを初期化するリセット周期、前記全体放電セルのうち、発光して表示しようとする放電セルを選択するアドレス周期、及び前記選択された放電セルで維持放電を起こす維持放電周期を含むことを特徴とする請求項２１に記載のプラズマディスプレイパネルの駆動方法。
【請求項２３】
前記パルスは、前記リセット周期内のパルスであることを特徴とする請求項２２に記載のプラズマディスプレイパネルの駆動方法。
【請求項２４】
前記パルスは、ランプパルスであり、前記ランプパルス波形の傾度は、前記ランプパルス波形を生成するランプ生成回路の素子整数値を制御して調節されることを特徴とする請求項１３に記載のプラズマディスプレイパネルの駆動方法。
【請求項２５】
維持電極とアドレス電極とが交差される領域に放電セルが形成されるプラズマディスプレイパネルに対して、外部から入力される画像信号を処理してフレーム単位で区分し、前記フレームがそれぞれの階調加重値を有する複数のサブフィールドを備え、前記サブフィールド内に既定の設定傾斜を有するパルス波形の電圧を印加する区間が存在して駆動するものであって、
（ａ）前記画像信号の方式を判断するステップと、
（ｂ）前記画像信号の方式によって、前記フレーム内のサブフィールドの構成を生成するステップと、
（ｃ）前記パネルの温度を検出するステップと、
Ｄ前記パネル温度によって前記パルス波形の傾斜を調節するステップと、
を含むことを特徴とするプラズマディスプレイパネルの駆動方法。
【請求項２６】
前記（ｂ）ステップで生成される前記フレームは、
前記画像信号がＮＴＳＣ方式である場合には、階調加重値の一定した傾度でもって順次に大きくなるサブフィールド構造を有する第１フレームであり、
前記画像信号がＰＡＬ方式である場合には、２以上のサブフィールドグループを含んで形成され、それぞれのサブフィールドグループが前記階調加重値の一定した傾度でもって順次に大きくなる第２フレームであることを特徴とする請求項２５に記載のプラズマディスプレイパネルの駆動方法。
【請求項２７】
前記（ｃ）ステップは、前記画像信号がＰＡＬ方式である場合にのみ行われることを特徴とする請求項２５に記載のプラズマディスプレイパネルの駆動方法。
【請求項２８】
前記それぞれのサブフィールドは、前記全体放電セルを初期化するリセット周期、前記全体放電セルのうち、発光して表示しようとする放電セルを選択するアドレス周期、及び前記選択された放電セルで維持放電を起こす維持放電周期を含むことを特徴とする請求項２５に記載のプラズマディスプレイパネルの駆動方法。
【請求項２９】
前記パルスは、前記リセット周期内のパルスであることを特徴とする請求項２８に記載のプラズマディスプレイパネルの駆動方法。
【請求項３０】
前記パネル温度が上昇すれば、前記上昇波形及び前記下降波形のうち少なくとも一つの傾度を減少させ、
前記パネル温度が下降すれば、前記上昇波形及び前記下降波形のうち少なくとも一つの傾度を増加させることを特徴とする請求項２９に記載のプラズマディスプレイパネルの駆動方法。
【請求項３１】
前記パルスは、ランプパルスであり、前記ランプパルス波形の傾度は、前記ランプパルス波形を生成するランプ生成回路の素子整数値を制御して調節されることを特徴とする請求項２５に記載のプラズマディスプレイパネルの駆動方法。
【請求項３２】
前記ランプパルス波形の傾度は、前記パネル温度に反比例するように調節されることを特徴とする請求項２５に記載のプラズマディスプレイパネルの駆動方法。
【請求項３３】
請求項１ないし３２のうち何れか１項に記載のプラズマディスプレイパネルの駆動方法によって駆動されることを特徴とするプラズマディスプレイパネルの駆動装置。
【発明の詳細な説明】
【技術分野】
【０００１】
本発明は、プラズマディスプレイパネル（ＰＤＰ：Ｐｌａｓｍａ Ｄｉｓｐｌａｙ Ｐａｎｅｌ）の駆動方法に係り、さらに詳細には、ディスプレイ周期としてのフレームごとに時分割階調ディスプレイのための複数のサブフィールドが存在し、それぞれのサブフィールドごとにリセット周期、アドレス周期、及び維持放電周期が存在して駆動するＰＤＰの駆動方法に関する。
【背景技術】
【０００２】
平板ディスプレイ装置として大型パネルの製作が容易なＰＤＰが注目されている。ＰＤＰは、放電現象を利用して画像を表現するディスプレイ装置であるが、一般的に、ＰＤＰは、駆動電圧の形態によって、直流型と交流型とに分けられ、直流型である場合、放電時間の遅延時間が長いという短所によって、交流型ＰＤＰの開発が活発になされている。
【０００３】
交流型ＰＤＰとしては、３電極を備え、交流電圧によって駆動される３電極交流面放電方式のＰＤＰが代表的である。一般的な３電極面放電方式のＰＤＰは、多層の板から形成されており、従来の画面表示装置である陰極線管（ＣＲＴ：Ｃａｔｈｏｄｅ−Ｒａｙ Ｔｕｂｅ）に比べて、厚さが薄く、軽くて広い画面を提供できるので、空間的に有利である。
【０００４】
通常のＰＤＰの一例として、３電極面放電方式のＰＤＰとその駆動装置、及び駆動方法は、本出願人の特許文献１に開示されている。
【０００５】
ＰＤＰは、複数のディスプレイセルを備え、一つのディスプレイセルは、３色（赤色、緑色、青色）の放電セルで構成され、前記放電セルの放電状態を調節することによって画像の階調を表現する。
【０００６】
ＰＤＰの階調を表現するために、外部から入力される画像信号を処理してフレーム単位で区分し、それぞれのフレームを発光回数が異なる８個のサブフィールドで構成して２５６階調を表現できる。このとき、外部から入力される画像信号は、多様な方式の信号となりうるが、通常的に６０Ｈｚの垂直周波数を有する米国ＴＶシステム委員会（Ｎａｔｉｏｎａｌ Ｔｅｌｅｖｉｓｉｏｎ Ｓｙｓｔｅｍ Ｃｏｍｍｉｔｔｅｅ：ＮＴＳＣ）方式の信号または５０Ｈｚの垂直周波数を有する位相反転走査（Ｐｈａｓｅ Ａｌｔｅｒｎａｔｉｏｎ Ｌｉｎｅ：ＰＡＬ）方式の信号が入力されうる。
【０００７】
画像を２５６階調によって表示しようとする場合に、ＮＴＳＣ方式の信号が入力される場合には、１／６０秒に該当するフレーム期間（１６.６７ｍｓ）が８個のサブフィールドに分けられ、ＰＡＬ方式の信号が入力される場合には、１／５０秒に該当するフレーム期間（２０ｍｓ）が８個のサブフィールドに分けられる。
【０００８】
サブフィールドは、それぞれ放電を均一に起こすためのリセット周期、ディスプレイセルを選択するためのアドレス周期、及び放電回数によって階調を表現する維持放電周期に区分される。このとき、リセット周期とアドレス周期とを合わせた期間の長さは、サブフィールドで何れも同一であり、維持放電周期は、サブフィールドごとに期間の長さが異なる。サブフィールドの維持放電周期で発生する放電パルス数が１、２、４、８、１６、３２、１２８個の順に増加するようにサブフィールドが構成されうる。前記放電パルスの数によって放電セルの放電回数が決定される。このように、サブフィールドで維持放電周期での放電回数を調節することによって２５６ステップの階調を表現できる。
【０００９】
しかし、通常のＰＤＰの駆動方法では、フリッカ問題を含む多様な問題点を解決するためにＮＴＳＣ方式及びＰＡＬ方式それぞれの場合において、前記サブフィールドの具現方法が変わる。また、サブフィールドの具現方法によって、パネルの放電特性が変わる。特に、ＰＡＬ方式の駆動方法において、リセット周期に印加されるランプパルスによるリセット放電で、温度変化によって誤放電及び低放電などが発生して、放電が不安定になるという問題点がある。
【特許文献１】米国特許第６,７４４,２１８号明細書（名称：Ｍｅｔｈｏｄ ｏｆ ｄｒｉｖｉｎｇ ａ ｐｌａｓｍａ ｄｉｓｐｌａｙ ｐａｎｅｌ ｉｎ ｗｈｉｃｈ ｔｈｅ ｗｉｄｔｈ ｏｆ ｄｉｓｐｌａｙ ｓｕｓｔａｉｎ ｐｕｌｓｅ ｖａｒｉｅｓ）
【発明の開示】
【発明が解決しようとする課題】
【００１０】
本発明は、前記問題点を解決するためのものであって、それぞれの電極ラインに印加されるランプパルス電圧のランプ傾斜を温度変化によって異ならせて放電を安定化させうるＰＤＰの駆動方法を提供することを目的とする。
【課題を解決するための手段】
【００１１】
前記目的を達成するための本発明によるＰＤＰの駆動方法は、維持電極とアドレス電極とが交差される領域に放電セルが形成されるＰＤＰに対して、外部から入力される画像信号を処理してフレーム単位で区分し、前記フレームがそれぞれの階調加重値を有する複数のサブフィールドを備え、前記サブフィールド内に既定の設定傾斜を有するパルス波形の電圧を印加する区間が存在して駆動するものであって、（ａ）前記画像信号の方式を判断するステップと、（ｂ）前記画像信号の方式がＰＡＬ方式である場合に、前記パネルの温度によって前記パルス波形の傾斜を調節するステップと、を含む。
【００１２】
前記（ｂ）ステップは、（ｂ１）前記パネル温度を検出するステップ、及び（ｂ２）前記パネル温度によって前記パルス波形の傾斜を調節するステップを含むことが望ましい。
【００１３】
前記パルス波形の傾度は、前記パネル温度に反比例するように調節されることが望ましい。
【００１４】
本発明の他の側面によるＰＤＰの駆動方法は、維持電極とアドレス電極とが交差される領域に放電セルが形成されるＰＤＰに対して、外部から入力される画像信号を処理してフレーム単位で区分し、前記フレームがそれぞれの階調加重値を有する複数のサブフィールドを備え、前記サブフィールド内に既定の設定傾斜を有するパルス波形の電圧を印加する区間が存在して駆動するものであって、前記フレームが、階調加重値の一定した傾度でもって順次に大きくなるサブフィールド構造を有する第１フレーム、及び２以上のサブフィールドグループを含んで形成され、それぞれのサブフィールドグループが前記階調加重値の一定した傾度でもって順次に大きくなる第２フレームのうち何れか一つであり、（ａ）前記フレームの種類を判断するステップと、（ｂ）前記フレームが第２フレームである場合に、前記パネルの温度によって前記パルス波形の傾斜を調節するステップと、を含む。
【００１５】
前記（ｂ）ステップは、（ｂ１）前記パネル温度を検出するステップ、及び（ｂ２）前記パネル温度によって前記パルス波形の傾斜を調節するステップを含むことが望ましい。
【００１６】
前記パルス波形の傾度は、前記パネル温度に反比例するように調節されることが望ましい。
【００１７】
本発明の他の側面によるＰＤＰの駆動方法は、維持電極とアドレス電極とが交差される領域に放電セルが形成されるＰＤＰに対して、外部から入力される画像信号を処理してフレーム単位で区分し、前記フレームがそれぞれの階調加重値を有する複数のサブフィールドを備え、前記サブフィールド内に既定の設定傾斜を有するパルス波形の電圧を印加する区間が存在して駆動するものであって、（ａ）前記画像信号の方式を判断するステップと、（ｂ）前記画像信号の方式によって、前記フレーム内のサブフィールドの構成を生成するステップと、（ｃ）前記パネルの温度を検出するステップと、Ｄ前記パネル温度によって前記パルス波形の傾斜を調節するステップと、を含む。
【００１８】
本発明の他の側面によるＰＤＰの駆動装置は、本発明によるＰＤＰの駆動方法によって駆動される。
【発明の効果】
【００１９】
本発明によるＰＤＰ駆動装置によれば、それぞれの電極ラインに印加されるランプパルス電圧のランプ傾斜を温度変化によって異ならせて放電を安定化させうる。
【発明を実施するための最良の形態】
【００２０】
以下、添付された図面を参照して望ましい実施形態による本発明を詳細に説明する。  図１は、本発明によるＰＤＰの駆動方法が適用される一実施形態であって、３電極面放電方式のＰＤＰの構造を示す内部斜視図である。
【００２１】
図面を参照すれば、面放電ＰＤＰ １の前面ガラス基板１０と背面ガラス基板１３との間には、アドレス電極ラインＡＲ１〜ＡＢｍ、誘電層１１,下方誘電層１５、Ｙ電極ラインＹ１〜Ｙｎ、Ｘ電極ラインＸ１〜Ｘｎ、蛍光層１６、隔壁１７及び保護層としての一酸化マグネシウム（ＭｇＯ）層１２が設けられている。
【００２２】
アドレス電極ラインＡＲ１〜ＡＢｍ は、背面ガラス基板１３の前面に一定のパターンに形成される。下方誘電層１５は、アドレス電極ラインＡＲ１〜ＡＢｍの前面で全面塗布される。下方誘電層１５の前面には、隔壁１７がアドレス電極ラインＡＲ１〜ＡＢｍと平行した方向に形成される。この隔壁１７は、各放電セル１４の放電領域を区画し、各放電セル１４の間の光学的干渉を防止する機能を行う。蛍光層１６は、背面ガラス基板１３上に形成される下方誘電層１５と隔壁１７との間に形成される空間の内面に形成される。
【００２３】
Ｘ電極ラインＸ１〜ＸｎとＹ電極ラインＹ１〜Ｙｎとは、アドレス電極ラインＡＲ１〜ＡＢｍと直交するように前面ガラス基板１０の背面に一定のパターンに形成される。各交差点は、相応する放電セル１４を設定する。各Ｘ電極ラインＸ１〜Ｘｎと各Ｙ電極ラインＹ１〜Ｙｎとは、ＩＴＯ（Ｉｎｄｉｕｍ Ｔｉｎ Ｏｘｉｄｅ）のような透明な導電性材質の透明電極ラインと伝導度を高めるための金属電極ラインとが結合されて形成される。
【００２４】
ここで、Ｘ電極ラインＸ１〜Ｘｎは、それぞれの放電セル１４で維持電極となり、Ｙ電極ラインＹ１〜Ｙｎは、それぞれの放電セル１４で走査電極となり、アドレス電極ラインＡＲ１〜ＡＢｍそれぞれの放電セル１４でアドレス電極となる。
【００２５】
本発明は、図１に示した３電極型ＰＤＰに適用されうるが、一電極がアドレス電極となり、他の一つの電極が走査電極及び維持電極となる２電極型ＰＤＰにも適用可能である。
【００２６】
図２は、本発明によるＰＤＰの駆動方法が適用される一実施形態であって、ＰＤＰの駆動装置を示すブロック図である。
【００２７】
図面を参照すれば、ＰＤＰ１の駆動装置は、画像処理部２６、論理制御部２２、アドレス駆動部２３、Ｘ駆動部２４及びＹ駆動部２５、温度感知部２７、抵抗制御部２８を備えてなる。画像処理部２６は、外部アナログ画像信号をデジタル信号に変換して内部画像信号、例えば、それぞれ８ビットの赤色（Ｒ）、緑色Ｇ及び青色（Ｂ）の画像データ、クロック信号、垂直及び水平同期信号を発生させる。論理制御部２２は、画像処理部２６からの内部画像信号によって駆動制御信号ＳＡ,ＳＹ,ＳＸを発生させる。
【００２８】
このとき、アドレス駆動部２３、Ｘ駆動部２４及びＹ駆動部２５などの駆動部で前記駆動制御信号ＳＡ,ＳＹ,ＳＸから入力されてそれぞれの駆動信号を発生させ、発生した駆動信号をそれぞれの電極ラインに印加する。
【００２９】
すなわち、アドレス駆動部２３は、論理制御部２２からの駆動制御信号ＳＡ,ＳＹ,ＳＸのうちアドレス信号ＳＡを処理して表示データ信号を発生させ、発生した表示データ信号をアドレス電極ラインに印加する。Ｘ駆動部２４は、論理制御部２２からの駆動制御信号ＳＡ,ＳＹ,ＳＸのうちＸ駆動制御信号ＳＸを処理してＸ電極ラインに印加する。Ｙ駆動部２５は、論理制御部２２からの駆動制御信号ＳＡ,ＳＹ,ＳＸのうちＹ駆動制御信号ＳＹを処理してＹ電極ラインに印加する。
【００３０】
前記画像処理部２６に入力される画像信号は、ＮＴＳＣ方式またはＰＡＬ方式の画像信号となりうる。このとき、ＮＴＳＣ方式の画像信号は、６０Ｈｚの垂直周波数を有し、ＰＡＬ方式の信号は、５０Ｈｚの垂直周波数を有する。
【００３１】
したがって、入力される画像信号の垂直周波数によって、入力される画像信号の種類を判別し、前記論理制御部２２で画像信号の方式によって、それぞれの画像信号に対して最適の放電特性を表せるサブフィールドの構成方式を選択可能にする。また、前記サブフィールドの構成方式によって、それぞれのサブフィールドの構成方式に対して最適の放電を起こせるように、リセット周期にＹ電極に印加されるリセットパルスの傾斜を制御できる。
【００３２】
前記温度感知部２７は、ＰＤＰのパネル温度を検出する。前記温度制御部２８は、パネル温度が上昇すれば、リセット周期でのランプパルス波形の傾斜を減少させ、パネル温度が下降すれば、リセット周期でのランプパルス波形の傾斜を増加させる。
【００３３】
前記温度感知部２７は、ＰＤＰのパネル温度を検出するが、パネルの温度がリセット放電に影響を与えうるか否かを測定するためのものであって、可能な限りパネルと近い位置で温度を測定できるようにすることが望ましい。このために、パネルの背面に直接接触されるように温度感知部２７を設置でき、前記温度感知部２７としては、熱電対の原理を利用した通常の温度測定装置が使われうる。他の実施形態であって、基準温度より高ければ、信号を発生させうるバイメタルが使われることもできる。
【００３４】
このとき、温度が上昇すれば、ＭｇＯの２次電子放出が増加して過放電が発生され、これにより、壁電荷が通常の場合より過度に形成されうるが、図８に示したように、リセット放電でのランプパルスの傾斜を減少させて、高温での過放電を抑制できる。
【００３５】
また、温度が下降すれば、ＭｇＯの２次電子放出が減少して、低放電による誤放電が発生し、これにより、壁電荷が通常の場合よりは少なく形成されうるが、図８に示したように、リセット放電でのランプパルスの傾斜を増加させて、低温での誤放電を抑制できる。
【００３６】
このとき、リセット周期のランプパルスの傾斜は、図１１及び図１２に示したランプ生成回路によって生成されるが、入力される画像信号がＰＡＬ方式の画像信号である場合に、温度変化によって図１２での素子整数値を調節して、その傾斜を調節できる。
【００３７】
図３Ａは、本発明によるＰＤＰの駆動方法で、ＮＴＳＣ方式の画像信号に対して単位フレームを複数のサブフィールドで構成して駆動する駆動方法の一実施形態を示すタイミング図である。
【００３８】
図面を参照すれば、単位フレームは、時分割階調表示を実現するために８個のサブフィールドＳＦ１〜ＳＦ８に分割される。また、各サブフィールドＳＦ１〜ＳＦ８は、リセット周期Ｒ１〜Ｒ８、アドレス周期Ａ１〜Ａ８、及び維持放電周期Ｓ１〜Ｓ８に分割される。
【００３９】
ＰＤＰの輝度は、単位フレームで占める維持放電周期Ｓ１〜Ｓ８の長さに比例する。単位フレームで占める維持放電周期Ｓ１〜Ｓ８の長さは、２５５Ｔ（Ｔは、単位時間）である。このとき、第ｎサブフィールドＳＦｎの維持放電周期Ｓｎには、２ｎに相応する時間がそれぞれ設定される。これにより、８個のサブフィールドのうち表示されるサブフィールドを適切に選択すれば、いかなるサブフィールドでも表示されない“０（ゼロ）”階調を含んで総２５６階調の表示が行われうる。
【００４０】
図３Ｂは、本発明によるＰＤＰの駆動方法で、ＰＡＬ方式の画像信号に対して単位フレームを複数のサブフィールドで構成して駆動する駆動方法の一実施形態を示すタイミング図である。
【００４１】
図面を参照すれば、ＰＡＬ方式の画像信号については、広域フリッカの発生を防止するために、階調加重値が一定の傾斜を有して順次に大きくなる２以上のサブフィールドグループＧＳＦ１,ＧＳＦ２によって形成される単位フレームによって駆動されることが望ましい。
【００４２】
すなわち、その実施形態であって、単位フレームは、時分割階調表示のために一定の傾斜を有して順次に大きくなる２個のサブフィールドグループＧＳＦ１,ＧＳＦ２を備える。その２５６階調で表現される一実施形態での第１サブフィールドグループＧＳＦ１は、７個のサブフィールドＳＦ１〜ＳＦ７に分割される。また、各サブフィールドＳＦ１〜ＳＦ７は、リセット周期Ｒ１〜Ｒ７、アドレス周期Ａ１〜Ａ７、及び維持放電周期Ｓ１〜Ｓ７に分割される。
【００４３】
また、第２サブフィールドグループＧＳＦ２は、７個のサブフィールドＳＦ８〜ＳＦ１４に分割される。また、各サブフィールドＳＦ８〜ＳＦ１４は、リセット周期Ｒ８〜Ｒ１４、アドレス周期Ａ８〜Ａ１４、及び維持放電周期Ｓ８〜Ｓ１４に分割される。
【００４４】
このとき、ＰＤＰの輝度は、単位フレームで占める維持放電周期Ｓ１〜Ｓ１４の長さに比例する。単位フレームで占める維持放電周期Ｓ１〜Ｓ１４の長さは、２５５Ｔ（Ｔは、単位時間）である。これにより、８個のサブフィールドのうち表示されるサブフィールドを適切に選択すれば、いかなるサブフィールドでも表示されない“０（ゼロ）”階調を含んで総２５６階調の表示が行われうる。
【００４５】
図４及び図５は、本発明によるＰＤＰの駆動方法で、それぞれＮＴＳＣ方式及びＰＡＬ方式の画像信号に対して単位フレームを複数のサブフィールドで構成して駆動する駆動方法の他の実施形態を簡略に示すサブフィールド構成図である。
【００４６】
図面を参照すれば、外部から入力される画像信号の方式によって、それぞれのフレームを構成するサブフィールドの構成を異ならせる。このとき、それぞれのサブフィールドは、リセット周期、アドレス周期、及び維持放電周期を含んでなることが望ましい。また、それぞれのサブフィールドでのリセット周期は、異なって構成されうるが、図６に示した実施形態のように、同じメインリセット周期が反復される場合も可能であるが、図７に示した実施形態のように、メインリセットと補助リセットとが選択的に適用されるサブフィールドの構成も可能である。
【００４７】
図４及び図５に示した実施形態では、メインリセットと補助リセットとが選択的に使われる実施形態が示されている。図７に示したように、それぞれのリセット周期には、既定の設定傾斜を有するランプパルス波形の電圧を印加する区間が存在する。また、それぞれのフレームは、必要に応じてそれぞれ階調加重値による配列が異なるサブフィールド構成を有しうるが、その例が図４及び図５にそれぞれ示されている。
【００４８】
本実施形態では、外部から入力される画像信号の方式によって、フレーム内のサブフィールド構成を異ならす。この場合、実施形態によっては、画像信号の方式だけでなく、表示しようとする画像の特性または異なる放電特性が必要な場合にも、フレームが異なるサブフィールド構成を有して選択的に適用されうる。以下では、主に画像信号の方式によって、異なるサブフィールド構成を有するフレームが適用される実施形態を中心に記述される。
【００４９】
外部からＰＤＰに入力される画像信号としては、通常的に５０Ｈｚの垂直周波数を有するＰＡＬ方式の画像信号と、６０Ｈｚの垂直周波数を有するＮＴＳＣ方式の画像信号とが入力されうる。したがって、ＰＤＰの駆動方法は、５０Ｈｚの垂直周波数を有する画像信号と６０Ｈｚの垂直周波数を有する画像信号とも駆動可能である。
【００５０】
このために、ＰＤＰの駆動方法では、入力される画像信号の垂直周波数によって、５０Ｈｚの画像信号が入力されれば、５０Ｈｚモードのロジックプロセシングを行い、６０Ｈｚの画像信号が入力されれば、６０Ｈｚモードのロジックプロセシングを行って、入力される画像信号による画像をパネル上にディスプレイする。このとき、垂直周波数がＨｚの単位で表現される場合に、秒当たり垂直周波数だけのフレーム数が存在して、それぞれのフレームが占める時間は、垂直周波数の逆数に該当する時間となる。したがって、それぞれのフレームが占める時間は、垂直周波数が６０Ｈｚである場合には、１６.６７ｍｓとなり、垂直周波数が５０Ｈｚである場合には、２０ｍｓとなる。
【００５１】
本実施形態では、入力される画像信号がＮＴＳＣ方式の信号である場合には、図４に示したようなサブフィールド構成を有するフレームによって駆動され、入力される画像信号がＰＡＬ方式の信号である場合には、図５に示したようなサブフィールド構成を有するフレームによって駆動される。
【００５２】
すなわち、前記画像信号がＮＴＳＣ方式である場合には、階調加重値が一定の傾斜を有して順次に大きくなるサブフィールド構造を有する第１フレームによって駆動され、前記画像信号がＰＡＬ方式である場合には、階調加重値が一定の傾斜を有して順次に大きくなる２以上のサブフィールドグループによって形成される第２フレームによって駆動される。これは、ＰＡＬ方式の画像信号に対して広域フリッカの発生を防止するためである。
【００５３】
図４に示したフレーム１ＦＲは、休止期を含んでサブフィールドの配列順序によって階調加重値が一定の傾斜を有して順次に大きくなる１１個のサブフィールドによって形成される。また、図５に示したフレーム１ＦＲは、サブフィールド配列順序によって階調加重値が一定の傾斜を有して順次に大きくなる２個のサブフィールドグループＧＳＦ１,ＧＳＦ２によって形成され、第１サブフィールドグループＧＳＦ１は、休止期を含んで７個のサブフィールドが階調加重値が一定の傾斜を有して順次に大きくなる構成を有し、第２サブフィールドグループＧＳＦ２は、休止期を含んで５個のサブフィールドが階調加重値が一定の傾斜を有して順次に大きくなる構成を有する。したがって、図５に示したフレーム１ＦＲは、二つの休止期と１２個のサブフィールドとによって形成されるツーマウント形式のフレームとなる。
【００５４】
図６は、図３ないし図５のＰＤＰの駆動方法で、単位サブフィールド内でＰＤＰの電極ラインに印加される駆動信号の一実施形態を示すタイミング図である。
【００５５】
本発明によるＰＤＰの駆動方法は、外部から入力される画像信号を処理してフレーム単位で区分し、前記フレームがそれぞれの階調加重値を有する複数のサブフィールドを備え、前記それぞれのサブフィールドがリセット周期、アドレス周期、及び維持放電周期を含んで駆動する。
【００５６】
図面で、ＳＡＲ１，．．．，ＡＢｍは、各アドレス電極ライン（図１のＡＲ１〜ＡＢｍ）に印加される駆動信号を、ＳＸ１，．．． ，Ｘｎは、Ｘ電極ライン（図１のＸ１〜Ｘｎ）に印加される駆動信号を、そして、ＳＹ１〜ＳＹｎは、各Ｙ電極ライン（図１のＹ１〜Ｙｎ）に印加される駆動信号を表す。
【００５７】
図面を参照すれば、単位サブフィールドＳＦのリセット周期ＰＲでは、まずＸ電極ラインＸ１〜Ｘｎに印加される電圧を接地電圧ＶＧから第２電圧ＶＳ、例えば、１５５Ｖまで持続的に上昇させる。ここで、Ｙ電極ラインＹ１〜Ｙｎとアドレス電極ラインＡＲ１〜ＡＢｍとには、接地電圧ＶＧが印加される。これにより、Ｘ電極ラインＸ１〜ＸｎとＹ電極ラインＹ１〜Ｙｎとの間、及びＸ電極ラインＸ１〜Ｘｎとアドレス電極ラインＡ１〜Ａｍとの間に弱い放電が起きつつ、Ｘ電極ラインＸ１〜Ｘｎの周囲に負極性の壁電荷が形成される。
【００５８】
次いで、Ｙ電極ラインＹ１〜Ｙｎに印加される電圧が第２電圧ＶＳ、例えば、１５５Ｖから第２電圧ＶＳより第３電圧ＶＳＥＴだけさらに高い最高電圧ＶＳＥＴ＋ＶＳ、例えば、３５５Ｖまで持続的に上昇する。ここで、Ｘ電極ラインＸ１〜Ｘｎとアドレス電極ラインＡＲ１〜ＡＢｍとには、接地電圧ＶＧが印加される。これにより、Ｙ電極ラインＹ１〜ＹｎとＸ電極ラインＸ１〜Ｘｎとの間に弱い放電が起きる一方、Ｙ電極ラインＹ１〜Ｙｎとアドレス電極ラインＡＲ１〜ＡＢｍとの間にさらに弱い放電が起きる。
【００５９】
次いで、Ｘ電極ラインＸ１〜Ｘｎに印加される電圧が第２電圧ＶＳに維持された状態で、Ｙ電極ラインＹ１〜Ｙｎに印加される電圧が第２電圧ＶＳから接地電圧ＶＧまで持続的に下降する。ここで、アドレス電極ラインＡＲ１〜ＡＢｍには、接地電圧ＶＧが印加される。
【００６０】
次いで、アドレス周期ＰＡで、アドレス電極ラインにアドレスパルスの表示データ信号が印加され、第２電圧ＶＳより低い第４電圧ＶＳＣＡＮにバイアスされたＹ電極ラインＹ１〜Ｙｎに接地電圧ＶＧのスキャンパルスの走査信号が順次に印加されるにつれて、円滑なアドレッシングが行われうる。
【００６１】
このとき、各アドレス電極ラインＡＲ１〜ＡＢｍに印加される表示データ信号は、放電セルを選択する場合に、正極性アドレス電圧ＶＡが、そうでない場合に、接地電圧ＶＧが印加される。これにより、接地電圧ＶＧのスキャンパルスが印加される間に正極性アドレス電圧ＶＡの表示データ信号が印加されれば、相応する放電セルでアドレス放電によって壁電荷が形成され、そうでない放電セルでは、壁電荷が形成されない。また、さらに正確かつ効率的なアドレス放電のために、Ｘ電極ラインＸ１〜Ｘｎに第２電圧ＶＳが印加される。
【００６２】
次いで、維持放電周期ＰＳでは、全てのＹ電極ラインＹ１〜ＹｎとＸ電極ラインＸ１〜Ｘｎとに第２電圧ＶＳのディスプレイ維持パルスが交互するように印加され、相応するアドレス周期ＰＡで壁電荷が形成された放電セルでディスプレイ維持のための放電を起こす。
【００６３】
本発明によって、ＰＡＬ方式の画像信号または図５に示したように、フレームが２グループのサブフィールドからなる場合において、上昇ランプパルス波形ＲＡの電圧が印加される区間または下降ランプパルス波形ＲＢの電圧が印加される区間、または上昇ランプパルス波形ＲＡと下降ランプパルス波形ＲＢとの電圧が印加される区間で、温度変化によって図８に示したように傾斜を調節できる。
【００６４】
図７は、図３ないし図５のＰＤＰの駆動方法で、単位サブフィールド内でＰＤＰの電極ラインに印加される駆動信号の他の実施形態を示したタイミング図であって、図４及び図５に示した実施形態のように、フレーム内でメインリセットと補助リセットとを含む連続する２個のサブフィールドが示される。
【００６５】
本発明によるＰＤＰの駆動方法は、外部から入力される画像信号を処理してフレーム単位で区分し、前記フレームがそれぞれの階調加重値を有する複数のサブフィールドを備え、前記それぞれのサブフィールドがリセット周期、アドレス周期、及び維持放電周期を含んで駆動する。
【００６６】
図７に示した一実施形態としてのＰＤＰの駆動方法によれば、一つのフレームには、２以上のサブフィールドが存在するが、その例として、フレームは、第１サブフィールドＳＦ１と第２サブフィールドＳＦ２とを備える。第１サブフィールドＳＦ１及び第２サブフィールドＳＦ２それぞれは、リセット周期ＰＲ１，ＰＲ２、アドレス周期ＰＡ１，ＰＡ２、及び維持放電周期ＰＳ１，ＰＳ２を含む。このとき、一つのフレームは、第１サブフィールドＳＦ１と第２サブフィールドＳＦ２との組み合わせからなる。
【００６７】
また、それぞれのリセット周期ＰＲ１，ＰＲ２は、第１リセット周期Ｔｒ１，Ｔｒ２と第２リセット周期Ｔｆ１，Ｔｆ２とを含む。本実施形態の場合、第１サブフィールドのリセット周期ＰＲ１は、相対的に強いリセット放電を起こし、相対的に長い時間周期を有するメインリセットが適用され、第２サブフィールドのリセット周期ＰＲ２は、相対的に弱いリセット放電を起こし、相対的に短い時間周期を有する補助リセットが適用される。
【００６８】
前記第１サブフィールドＳＦ１で、第１リセット周期Ｔｒ１には、Ｙ電極に第１レベルＶ１から一定の傾斜を有し、第２レベルＶ２まで持続的に上昇する上昇ランプパルス波形の電圧が印加される。また、第２リセット周期Ｔｆ１には、Ｙ電極に第３レベルＶ３から一定の傾斜を有し、第４レベルＶ４まで持続的に下降する下降ランプパルス波形の電圧が印加される。
【００６９】
前記第２サブフィールドＳＦ２で、第１リセット周期Ｔｒ２には、Ｙ電極に第３レベルＶ３の電圧が印加され、また、第２リセット周期Ｔｆ２には、Ｙ電極に第３レベルＶ３から一定の傾斜を有し、第４レベルＶ４まで持続的に下降する下降ランプパルス波形の電圧が印加される。
【００７０】
本発明によって、ＰＡＬ方式の画像信号または図５に示したようにフレームが二つグループのサブフィールドからなる場合において、上昇ランプパルス波形ＲＣの電圧が印加される区間または下降ランプパルス波形ＲＤ，ＲＥの電圧が印加される区間、または上昇ランプパルス波形ＲＣと下降ランプパルス波形ＲＤ，ＲＥとの電圧が印加される区間で、温度変化によって、図８に示したように傾斜を調節できる。
【００７１】
図８は、図６及び図７の駆動信号で、ＰＡＬ方式の画像信号に対して温度による傾斜変化を有するランプパルス波形を概略的に示す図面である。
【００７２】
図面を参照すれば、本発明によるＰＤＰの駆動方法によれば、外部から入力される画像信号がＰＡＬ方式である場合に、パネルの温度によってサブフィールド内に既定の設定傾斜８１ａ，８２ａを有するランプパルス波形の電圧の傾斜を調節して放電を安定化させうる。
【００７３】
このとき、リセット周期には、Ｙ電極に図８に示したようなランプパルス波形の電圧が印加されうるが、パネルの温度変化に反比例するようにランプパルス波形の傾斜を調節することが望ましい。特に、外部から入力される画像信号がＰＡＬ方式の信号である場合に、パネルの温度変化によって放電が不安定になるが、パネルから検出されるパネル温度が上昇すれば、傾度を低めて８１ｃ，８２ｃ放電を安定化させ、パネルから検出されるパネル温度が下降すれば、傾度を高めて８１ｂ，８２ｂ放電を安定化させうる。
【００７４】
このような傾斜の調節は、上昇ランプパルス波形８１ａ及び下降ランプパルス波形８２ａそれぞれの場合に選択的に適用されうる。このとき、ランプパルス波形の傾斜は、図１１及び図１２に示したランプ生成回路で、温度変化を反映して素子整数値を調節して変更できる。
【００７５】
図９は、本発明による一実施形態であって、ＰＤＰの駆動方法を概略的に示すフローチャートである。
【００７６】
図面を参照すれば、ＰＤＰの駆動方法１００は、（ａ）前記画像信号の方式を判断するステップ（ステップ１０１）と、（ｂ）画像信号の方式によって、フレーム内のサブフィールドの構成を生成するステップ（ステップ１０２、１０３）と、（ｃ）パネルからパネル温度を検出するステップ（ステップ１０４）と、Ｄパネル温度によってランプパルス波形の傾斜を調節するステップ（ステップ１０５）と、（ｅ）前記ランプパルス波形の傾斜を有する波形の電圧によってパネルを駆動するステップ（ステップ１０６）と、を含む。
【００７７】
このとき、前記画像信号がＮＴＳＣ方式またはＰＡＬ方式のうち一つであり、前記（ｂ）ステップで生成される前記フレームが、前記画像信号がＮＴＳＣ方式である場合には、階調加重値が一定の傾斜を有して順次に大きくなるサブフィールド構造を有する第１フレーム（ステップ１０３）となり、画像信号がＰＡＬ方式である場合には、２以上のサブフィールドグループを含んで形成され、それぞれのサブフィールドグループが前記階調加重値が一定の傾度を有して順次に大きくなる第２フレーム（ステップ１０２）となる。
【００７８】
また、前記（ｃ）ステップ及びＤステップは、画像信号がＰＡＬ方式である場合にのみ行われることが望ましく、画像信号がＮＴＳＣ方式である場合には、前記（ｂ）ステップ（ステップ１０３）で生成された第１フレームのサブフィールドでは、既定の傾斜を有するランプパルス波形の電圧が印加される。このとき、前記（ｃ）ステップ及びＤステップで行われる詳細な駆動方法は、図１１及び図１２についての記述を参照する。また、前記（ｅ）ステップでの駆動は、図６ないし図７に示した駆動方法による。
【００７９】
図１０は、本発明による他の実施形態であって、ＰＤＰの駆動方法を概略的に示すフローチャートである。
【００８０】
図面を参照すれば、ＰＤＰの駆動方法２００は、（ａ）外部から入力される画像信号からフレームを構成するステップ（ステップ２０１）と、（ｂ）フレームの種類を判断するステップ（ステップ２０２）と、（ｃ）パネルからパネル温度を検出するステップ（ステップ２０４）と、Ｄパネル温度によってランプパルス波形の傾斜を調節するステップ（ステップ２０５）と、（ｅ）前記ランプパルス波形の傾斜を有する波形の電圧によってパネルを駆動するステップ（ステップ２０６）と、を含む。
【００８１】
前記（ａ）ステップ（ステップ２０１）では、外部から入力される画像信号の方式によってフレームを構成できる。この場合、実施形態によっては、画像信号の方式だけでなく、表示しようとする画像の特性または異なる放電特性が必要な場合にも、フレームの異なるサブフィールドの構成を有して選択的に適用されうる。以下では、主に画像信号の方式によって異なるサブフィールド構成を有するフレームが適用される実施形態を中心に記述される。
【００８２】
前記画像信号がＮＴＳＣ方式またはＰＡＬ方式のうち一つとなりうる。また、前記（ａ）ステップ（ステップ２０１）で生成される前記フレームは、前記画像信号がＮＴＳＣ方式である場合には、階調加重値が一定の傾斜を有して順次に大きくなるサブフィールド構造を有する第１フレームとなり、画像信号がＰＡＬ方式である場合には、２以上のサブフィールドグループを含んで形成され、それぞれのサブフィールドグループが前記階調加重値が一定の傾度を有して順次に大きくなる第２フレームとなることが望ましい。
【００８３】
また、前記（ｃ）ステップ及びＤステップは、画像信号がＰＡＬ方式である場合にのみ行われることが望ましく、画像信号がＮＴＳＣ方式である場合には、前記（ｂ）ステップ（ステップ２０１）で生成された第１フレームのサブフィールドでは、既定の傾斜を有するランプパルス波形の電圧が印加される。このとき、前記（ｃ）ステップ及びＤステップで行われる詳細な駆動方法は、図１１及び図１２についての記述を参照する。また、前記（ｅ）ステップでの駆動は、図６及び図７に示した駆動方法による。
【００８４】
図１１は、図２のＰＤＰの駆動装置で、ランプ生成回路を備えるＸ駆動部及びＹ駆動部をさらに具体的に示す回路構成図である。図１２は、図１１のＰＤＰの駆動装置で、ランプ生成回路の回路構成図である。
【００８５】
図面を参照して、ＰＤＰの駆動装置でランプ波形の生成原理及びランプ傾斜の調節原理を記述すれば、次の通りである。ＰＤＰのランプ生成回路は、ＰＤＰの電極ラインに傾斜を有するランプ波形のランプ電圧を印加するＰＤＰのランプ生成回路であって、ランプ生成部３９と、温度感知部３７と、及び素子整数制御部３８と、を備える。
【００８６】
前記ランプ生成部３９は、外部から入力される電源からランプ電圧を生成して電極ラインに印加するものであって、整数値の変更によって傾斜が可変される素子を含む。前記温度感知部３７は、パネルからパネル温度を感知する。前記素子整数制御部３８は、パネル温度によって素子の整数値を可変させて、ランプ波形の傾斜を制御する。
【００８７】
前記ランプ生成部３９は、外部から入力される電源からランプ電圧を生成して電極ラインに印加するが、本発明によってランプ電圧は、可変傾斜を有するランプ波形に印加される。このとき、ランプ生成部３９は、その特性値の変化によってランプ波形の傾斜が可変されうる素子を含んでなりうる。ランプ波形の傾斜を可変させうる素子としては、図１０に示した回路構成を有する抵抗器ＤＲ１とコンデンサＣ１とが使われうる。
【００８８】
特に、本発明では、抵抗器ＤＲ１またはコンデンサＣ１のうち少なくとも一つの整数値、すなわち、特性値が温度によってリアルタイムで制御され、温度変化によって前記ランプ波形の傾斜をパネルで最適の放電を起こすようにできる。このために、本発明によるランプ波形の発生回路は、温度感知部３７でパネルからパネル温度を感知する。
【００８９】
前記温度感知部３７は、パネルの温度を容易に感知できるように設置されることが望ましい。このために、可能な限り、パネルと近い位置に位置させるが、パネルの付近のシャーシベースに設置が可能である。または、制御の容易性のために、素子整数制御部３８から近い位置に位置することもできるが、その例としては、論理制御部のような制御ボードに設置されることもできる。
【００９０】
このように、前記温度感知部３７でパネルの温度を直接測定できない場合には、素子整数制御部３８で、測定位置での温度とパネルの温度との差を考慮して素子整数値を設定することが望ましい。
【００９１】
前記素子整数制御部３８は、パネル温度によって素子の整数値を可変させてランプ波形の傾斜を制御するが、本実施形態では、前記温度感知部３７で感知されたパネル温度を入力されてデジタル抵抗器ＤＲ１の抵抗値を可変させうる抵抗制御部３８が適用される。
【００９２】
温度の変化によってデジタル抵抗器ＤＲ１の抵抗値を可変させて傾斜を可変させうる一実施形態であって、前記抵抗制御部３８は、パネル温度が下降すれば、ランプ波形の傾斜を増加させるようにデジタル抵抗器の抵抗値を変更させ、パネル温度が上昇すれば、ランプ波形の傾斜を減少させるようにデジタル抵抗器の抵抗値を変更させるように構成されうる。
【００９３】
このとき、本実施形態でのデジタル抵抗器ＤＲ１の抵抗値の調整は、温度によるコンデンサＣ１のキャパシタンスＣの変化を考慮して、これを補正できるように抵抗値が調整されることが望ましい。
【００９４】
このために、パネルに対して温度変化によって最適の放電を起こせるランプ波形の傾斜を先に求め、ランプ生成回路で、抵抗値とキャパシタンスとの変化によるランプ波形の傾斜変化を求める。このような結果に基づいて、温度によって最適の傾斜を有するランプ波形を生成するための素子の整数値を求めうる。
【００９５】
このとき、コンデンサの温度変化によるキャパシタンスの変化は、コンデンサの種類によって、温度上昇と共にキャパシタンスが増加する場合と減少する場合とがある。したがって、デジタル抵抗器ＤＲ１の温度による抵抗値は、コンデンサの特性によるかかるキャパシタンスの変化を考慮して調節されうる。
【００９６】
すなわち、本実施形態のように、デジタル抵抗器ＤＲ１の抵抗値の調節時に温度によるコンデンサのキャパシタンスの変化を考慮して調節して、デジタル抵抗器ＤＲ１のみを調節してパネルで最適の放電を起こせる傾斜を有するランプ波形を生成できる。
【００９７】
また、他の実施形態であって、パネル温度を低温領域、常温領域、及び高温領域に区分し、常温領域に適用されうるランプ波形の傾斜で基準傾斜を設定し、低温領域に対しては、ランプ波形の傾斜を基準傾斜より高い傾斜を適用し、高温領域に対しては、ランプ波形の傾斜を基準傾斜より低い傾斜を適用するように、前記抵抗制御部３８がデジタル抵抗器ＤＲ１の抵抗値を変更させうるように、ランプ波形発生回路が構成されうる。
【００９８】
前記ランプ生成部３９は、定電流生成部３９１と、ゲート駆動部３９２、及び傾斜設定部３９３を備えてなる。前記定電流生成部３９１は、パネルにランプ電圧を印加するために、パネルに定電流を供給する。前記ゲート駆動部３９２は、定電流生成部を駆動する。前記傾斜設定部３９３は、ゲート駆動部３９２と定電流生成部３９１との間に連結されてランプ電圧の傾斜を設定する。
【００９９】
前記定電流生成部３９１、ドレインＤ、ゲートＧ、及びソースＳを備える電界効果トランジスタ（Ｆｉｅｌｄ Ｅｆｆｅｃｔ Ｔｒａｎｓｉｓｔｏｒ：ＦＥＴ）からなることが望ましい。このとき、前記定電流生成部３９１としてのＦＥＴは、ゲート駆動部３９２から入力される矩形波信号によって駆動されることが望ましい。
【０１００】
前記傾斜設定部３９３は、素子整数制御部３８によって抵抗値が調節可能なデジタル抵抗器ＤＲ１を含んでなることが望ましい。
【０１０１】
また、前記傾斜設定部３９３が、一端がドレインＤと連結され、他端がデジタル抵抗器ＤＲ１の一端及びゲートＧと連結されるコンデンサをさらに備えてなる。このとき、デジタル抵抗器ＤＲ１の他端がゲート駆動部３９２の一端と連結されることが望ましい。
【０１０２】
また、前記デジタル抵抗器ＤＲ１の一端にアノードが連結され、カソードが前記ゲート駆動部３９２の他端及び前記ソースＳと連結されるゼナーダイオードＤ１をさらに含むことが望ましい。
【０１０３】
図１１に示したＰＤＰの駆動装置のそれぞれの構成要素のうち、図２に示した同じ機能を行う同じ構成要素については、図２と類似した参照番号を使用し、これらについての詳細な説明は省略する。
【０１０４】
以下では、図１１及び図１２を参照して、本発明によるランプ生成回路によって一定の傾斜を有するランプ波形の生成原理について説明する。
【０１０５】
ランプ波形の発生回路は、リセット区間にＸ電極とＹ電極とにランプ波形を印加するためにランプ波形を発生させるものであって、ランプ波形とは、線形的に拡大または縮小する電圧波形を称す。
【０１０６】
ランプ波形の発生回路によって、ランプ波形を作り出すためには、キャパシタＣｐの負荷でモデリングされるパネルに対して定電流源のスイッチを作る。このとき、通常的に、定電流源のスイッチとしてＦＥＴ Ｍ１が使われ、ＦＥＴは、ドレインＤ、ゲートＧ、ソースＳが備えられる。ゲートＧには、ゲート駆動部が連結され、ドレインＤには、入力電源ＶＤが連結され、ソースＳ側にパネルＣｐが連結される。
【０１０７】
特に、ドレインＤとゲートＧとの間には、抵抗ＤＲ１とコンデンサＣ１とが連結されて、ＰＤＰの駆動のために必要なランプ波形の傾斜を設定可能にする。
【０１０８】
このとき、パネルにかかる電圧が一定の傾斜を有するランプ波形に上昇または下降するためには、数式１から分かるように、時間に対するパネルの電圧の時間による変化量が一定の定数で表れねばならない。すなわち、一定の傾斜のランプ波形を得るために、キャパシタンスＣが一定の場合に、ＦＥＴ Ｍ１のドレインＤからソースＳを通じてパネルに流れる電流ｉＤＳが一定の値を有さねばならない。
【０１０９】
【数１】
2006301622.tif 000003
【０１１０】
ここで、ＶＣは、パネルに印加される電圧であり、Ｃは、パネルのキャパシタンスである。このとき、ランプ波形の傾斜は、ドレインＤとゲートＧとの間に連結される抵抗ＤＲ１とコンデンサＣ１とによって決定されうる。
【０１１１】
ここで、ゲート駆動部ＶｇによってＦＥＴ Ｍ１のゲート端Ｇに入力される駆動信号によって抵抗ＤＲ１とコンデンサＣ１とを経由してゲート電流ｉｇが流れ、ゲート電流ｉｇのランプ波形の傾斜との関係は、数式２の通りである。
【０１１２】
【数２】
2006301622.tif 000004
【０１１３】
数式２から分かるように、ＦＥＴ Ｍ１のドレインＤ−ソースＳ端電圧ＶＤＳの傾斜が変わるにつれて、ゲート電流ｉｇが変わってパネルの両端に印加されるランプ波形電圧の傾斜が変わる。また、ゲート電流ｉｇが一定である場合にも、第１コンデンサのキャパシタンスＣ１が変われば、ドレインＤ−ソースＳ端電圧ＶＤＳの傾斜が変わって、パネルに印加されるランプ波形電圧の傾斜が変わる。
【０１１４】
このとき、パネルに印加される電圧ＶＣは、ＦＥＴ Ｍ１のドレインＤ端に印加される入力電圧ＶＤとドレインＤ−ソースＳ端電圧ＶＤＳとの差によって決定される。したがって、ＦＥＴ Ｍ１のドレインＤ端に印加される入力電圧ＶＤを一定の電圧にすれば、パネル電圧ＶＣの経時的な変化率は、ドレインＤ−ソースＳ端電圧ＶＤＳの経時的な変化率によって決定される。
【０１１５】
また、ゼナーダイオードＤ１は、逆方向には一定の電圧以上である時に逆方向に急な電流を流すが、電圧は、一定に定電圧を維持する。したがって、前記ＦＥＴのゲート端Ｇ電圧を定電圧に維持可能にする。
【０１１６】
本実施形態の場合、ＦＥＴが使われる定電流生成部３９１は、ドレインＤが入力電源ＶＤ側に連結され、ゲートＧがゲート駆動部３９２に連結され、ソースＳがパネルＣｐに連結される。本発明によって、パネルＣｐに一定の傾斜を有するランプ波形のランプ電圧を印加するために、ドレインＤからソースＳを通じてパネルに流れる電流ｉＤＳが数式１によって一定の値を有する定電流でなければならない。
【０１１７】
このとき、ランプ電圧の傾斜は、傾斜設定部３９３をなす素子の特性値によって決定される。したがって、ランプ電圧が必要なリセット区間での適切な放電のために、必要な傾斜を先に求め、ランプ電圧の傾斜を決定する傾斜設定部３９３の抵抗の抵抗値ＤＲ１とコンデンサのキャパシタンスＣ１とをそれぞれ設定する。
【０１１８】
【数３】
2006301622.tif 000005
【０１１９】
抵抗の抵抗値ＤＲ１によるランプ電圧の傾斜設定は、数式２及び数式３の関係からなされるが、数式３は、次の通りである。ここで、Ｖｔｈは、ＦＥＴ Ｍ１の臨界電圧であり、通常的に、３Ｖないし５Ｖほどの値を有する。また、Ｖｇは、ゲート駆動部３９２によって定電圧生成部３９１を駆動するためにＦＥＴ３９１のゲートＧに印加される電圧である。
【０１２０】
すなわち、抵抗ＤＲ１の抵抗値によって抵抗とコンデンサＣ１との並列連結の経路を通じて流れるゲート電流ｉｇが変わるので、数式２での関係からドレインＤ−ソースＳ端電圧の傾斜が変わって、パネルの両端に印加されるランプ電圧の傾斜が調整される。
【０１２１】
本発明は、添付図面に示した一実施形態を参照して説明されたが、これは、例示的なものに過ぎず、当業者ならば、これから多様な変形及び均等な他の実施形態が可能であるということが分かるであろう。したがって、本発明の真の保護範囲は、特許請求の範囲によって決定されねばならない。
【産業上の利用可能性】
【０１２２】
本発明は、ＰＤＰ関連の技術分野に適用可能である。
【図面の簡単な説明】
【０１２３】
【図１】本発明によるＰＤＰの駆動方法が適用される一実施形態であって、３電極面放電方式のＰＤＰの構造を示す内部斜視図である。
【図２】本発明によるＰＤＰの駆動方法が適用される一実施形態であって、ＰＤＰの駆動装置を示すブロック図である。
【図３Ａ】本発明によるＰＤＰの駆動方法で、ＮＴＳＣ方式の画像信号に対して単位フレームを複数のサブフィールドで構成して駆動する駆動方法の一実施形態を示すタイミング図である。
【図３Ｂ】本発明によるＰＤＰの駆動方法で、ＰＡＬ方式の画像信号に対して単位フレームを複数のサブフィールドで構成して駆動する駆動方法の一実施形態を示すタイミング図である。
【図４】本発明によるＰＤＰの駆動方法で、ＮＴＳＣ方式の画像信号に対して単位フレームを複数のサブフィールドで構成して駆動する駆動方法の他の実施形態を簡略に示すサブフィールド構成図である。
【図５】本発明によるＰＤＰの駆動方法で、ＰＡＬ方式の画像信号に対して単位フレームを複数のサブフィールドで構成して駆動する駆動方法の一実施形態を簡略に示すサブフィールド構成図である。
【図６】図３ないし図５のＰＤＰの駆動方法で、単位サブフィールド内でＰＤＰの電極ラインに印加される駆動信号の一実施形態を示すタイミング図である。
【図７】図３ないし図５のＰＤＰの駆動方法で、単位サブフィールド内でＰＤＰの電極ラインに印加される駆動信号の他の実施形態を示すタイミング図である。
【図８】図６及び図７の駆動信号で、ＰＡＬ方式の画像信号に対して温度による傾斜変化を有するランプパルス波形を概略的に示す図面である。
【図９】本発明による一実施形態であって、ＰＤＰの駆動方法を概略的に示すフローチャートである。
【図１０】本発明による他の実施形態であって、ＰＤＰの駆動方法を概略的に示すフローチャートである。
【図１１】図２のＰＤＰの駆動装置で、ランプ生成回路を備えるＸ駆動部及びＹ駆動部をさらに具体的に示す回路構成図である。
【図１２】図１１のＰＤＰの駆動装置で、ランプ生成回路の回路構成図である。
【符号の説明】
【０１２４】
１    ＰＤＰ、
１０    前面ガラス基板、
１１，１５    誘電層、
１２    保護層、
１３    背面ガラス基板、
１４    放電セル、
１６    蛍光層、
１７    隔壁、
Ｘ１〜Ｘｎ    Ｘ電極ライン、
Ｙ１〜Ｙｎ Ｙ電極ライン、
Ａ１〜Ａｍ    アドレス電極ライン、
ＳＦ１〜ＳＦ８    サブフィールド、
２７，３７    温度感知部、
２８，３８    抵抗制御部。
【図１】
2006301622.tif 000006
【図２】
2006301622.tif 000007
【図３Ａ】
2006301622.tif 000008
【図３Ｂ】
2006301622.tif 000009
【図４】
2006301622.tif 000010
【図５】
2006301622.tif 000011
【図６】
2006301622.tif 000012
【図７】
2006301622.tif 000013
【図８】
2006301622.tif 000014
【図９】
2006301622.tif 000015
【図１０】
2006301622.tif 000016
【図１１】
2006301622.tif 000017
【図１２】
2006301622.tif 000018